【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】 目幅の異なる篩網を張設した複数の篩枠を積み重ね、これを機枠内に設けた篩分け室に収容して固定し、前記機枠を上方から吊り下げて揺動運動させて粉粒体の篩分けを行うプランシフターであって、
前記複数の篩枠を前記機枠外にてあらかじめ積み重ねて前記篩枠を一体的に保持する篩枠保持工程と、
前記篩分け室に前記篩枠を収容する際、前記一体的な篩枠を収容する篩枠収容工程と、
前記篩分け室内に収容された前記一体的な篩枠を固定する篩枠固定工程と、
前記篩分け室から前記一体的な篩枠を取り出す際、前記一体的な篩枠の固定を解除する篩枠固定解除工程と、
前記一体的な篩枠をそのまま篩分け室から機外に取り出す篩枠取り出し工程と、
前記一体的な篩枠を篩分け室に収容又は機外に取り出す際に、該一体的な篩枠を前記篩分け室内で昇降させる篩枠昇降工程と、
を備えたことを特徴とするプランシフターの篩枠交換方法。
【請求項２】 目幅の異なる篩網を張設した複数の篩枠を積み重ね、これを機枠内に設けた篩分け室に収容して固定し、前記機枠を上方から吊り下げて揺動運動させて粉粒体の篩分けを行うプランシフターであって、
前記複数の篩枠を積み重ねて一体的に保持する篩枠保持手段と、
前記積み重ねて保持した一体的な篩枠を前記篩分け室へ収容又は篩分け室から機外に取り出すための篩枠運搬手段と、
前記一体的な篩枠を前記篩分け室に収容又は機外に取り出す際に、該一体的な篩枠を前記篩分け室内で昇降させる篩枠昇降手段と、
前記篩分け室内に収容された前記一体的な篩枠を上方から下方へ垂直に押さえつける篩枠固定手段と、を備えたことを特徴とするプランシフターの篩枠交換装置。
【請求項３】 前記篩枠運搬手段は、前記一体的な篩枠を前記機枠と接する位置と前記機枠と異なる所定位置との間で移動させる第１の移動台車と、該第１の移動台車が前記機枠と接した位置にあるとき、前記一体的な篩枠を前記第１の移動台車上と前記篩分け室内との間で移動させる第２の移動台車とを有し、
前記篩分け室に前記一体的な篩枠を収容する際、前記機枠と異なる所定位置に前記第１の移動台車を移動させ、該第１の移動台車上に第２の移動台車を介して前記一体的な篩枠を載置し、さらに、前記第１の移動台車を前記機枠と接する位置に移動させ、前記第２の移動台車を前記第１の移動台車上から前記篩分け室内へ移動させた後、第２の移動台車を取り出して前記一体的な篩枠を収容し、
前記篩分け室から前記一体的な篩枠を取り出す際、前記第１の移動台車を前記機枠と接する位置に移動させ、前記一体的な篩枠の底部に前記第２の移動台車を挿入し、該第２の移動台車を前記篩分け室内から前記第１の移動台車上へ移動させて前記一体的な篩枠を取り出してなる請求項２記載のプランシフターの篩枠交換装置。
【請求項４】 前記篩枠運搬手段は、前記一体的な篩枠を前記機枠と接する位置と前記機枠と異なる所定位置との間で移動させる第１の移動台車と、該第１の移動台車が前記機枠と接した位置にあるとき、前記一体的な篩枠を前記第１の移動台車上と前記篩分け室内との間で移動させる第２の移動台車とを備え、
前記篩枠固定手段は、前記篩分け室上方に設けられ、前記篩分け室内に収容された一体的な篩枠を上方から下方へ垂直に押さえつける篩枠固定装置と、該篩枠固定装置の下方に設けられ、前記篩分け室内に収容された前記一体的な篩枠を昇降させる篩枠昇降装置とを備えてなる請求項２記載のプランシフターの篩枠交換装置。
【請求項５】 前記第２の移動台車は、前記一体的な篩枠が載置される低い床状の台車部と、該台車部の底面に設けられた車輪とで構成され、
前記篩枠昇降装置は、前記台車部とは別に前記一体的な篩枠を昇降させるエアーシリンダで構成される請求項４記載のプランシフターの篩枠交換装置。
【請求項６】 前記第２の移動台車は、前記一体的な篩枠が載置される底箱と、該底箱内部に設けられ、該底箱から出入り可能な車輪とで構成され、
前記篩枠昇降装置は、前記底箱から出入り可能な車輪により構成される請求項４記載のプランシフターの篩枠交換装置。
【請求項７】 前記第１の移動台車は、水平調節脚及び移動キャスターを備えた脚部と、該脚部によって支持されたベース部と、支点を中心に適宜ジャッキアップすることが可能なジャッキ部と、該ジャッキ部により適宜な高さまで昇降されるリフト台と、さらに、該リフト台上の水平調整部を介して設けられた載置台とを備えた請求項３から６のいずれかに記載のプランシフターの篩枠交換装置。
【請求項８】 前記一体的な篩枠を前記篩分け室へ収容又は篩分け室から取り出す際に、前記第１の移動台車と前記篩分け室とを固定する第１のロック手段と、前記第１の移動台車と前記第２の移動手段とを固定する第２のロック手段とを設けてなる請求項３から７のいずれかに記載のプランシフターの篩枠交換装置。
【手続補正２】
【補正対象書類名】明細書
【補正対象項目名】０００１
【補正方法】変更
【補正の内容】
【０００１】
【発明が属する技術分野】
本発明は、篩網を緊張させて張設した複数の篩枠を、篩網の目幅の大きい順に同一機枠内に積層して、前記機枠を鉛直な回転揺動軸によって水平面に対し回転揺動させ、粉粒体を粒径ごとに篩い分けるプランシフターにおいて、メンテナンス（篩枠の交換）時に、篩枠をシフター機枠から容易に取り出すことができる、篩枠交換方法及びその装置に関する。
【手続補正３】
【補正対象書類名】明細書
【補正対象項目名】０００２
【補正方法】変更
【補正の内容】
【０００２】
【従来の技術】
従来、篩網を緊張させて張設した複数の篩枠を、篩網の目幅の大きい順に同一機枠内に積層して、前記機枠を鉛直な回転揺動軸によって水平面に対し回転揺動させ、粉粒体を粒径ごとに篩い分けるシフターは、例えば、図８で開示したものがある。
【手続補正４】
【補正対象書類名】明細書
【補正対象項目名】０００７
【補正方法】変更
【補正の内容】
【０００７】
【発明が解決しようとする課題】
本発明は上記問題点にかんがみ、篩枠交換作業における労力の負担、危険の負担を軽減し、篩枠の交換作業を容易に行うことのできるプランシフターの篩枠交換方法及びその装置を提供することを技術的課題とする。
【手続補正５】
【補正対象書類名】明細書
【補正対象項目名】０００８
【補正方法】変更
【補正の内容】
【０００８】
【課題を解決するための手段】
上記課題を解決するため本発明は、目幅の異なる篩網を張設した複数の篩枠を積み重ね、これを機枠内に設けた篩分け室に収容して固定し、前記機枠を上方から吊り下げて揺動運動させて粉粒体の篩分けを行うプランシフターであって、前記複数の篩枠を前記機枠外にてあらかじめ積み重ねて前記篩枠を一体的に保持する篩枠保持工程と、前記篩分け室に前記篩枠を収容する際、前記一体的な篩枠を収容する篩枠収容工程と、前記篩分け室内に収容された前記一体的な篩枠を固定する篩枠固定工程と、前記篩分け室から前記一体的な篩枠を取り出す際、前記一体的な篩枠の固定を解除する篩枠固定解除工程と、前記一体的な篩枠をそのまま篩分け室から機外に取り出す篩枠取り出し工程と、前記一体的な篩枠を篩分け室に収容又は機外に取り出す際に、該一体的な篩枠を前記篩分け室内で昇降させる篩枠昇降工程と、を備える、という技術的手段を講じた。
【手続補正６】
【補正対象書類名】明細書
【補正対象項目名】００１０
【補正方法】変更
【補正の内容】
【００１０】
また、請求項２の発明では、目幅の異なる篩網を張設した複数の篩枠を積み重ね、これを機枠内に設けた篩分け室に収容して固定し、前記機枠を上方から吊り下げて揺動運動させて粉粒体の篩分けを行うプランシフターであって、前記複数の篩枠を積み重ねて一体的に保持する篩枠保持手段と、前記積み重ねて保持した一体的な篩枠を前記篩分け室へ収容又は篩分け室から機外に取り出すための篩枠運搬手段と、前記一体的な篩枠を前記篩分け室に収容又は機外に取り出す際に、該一体的な篩枠を前記篩分け室内で昇降させる篩枠昇降手段と、前記篩分け室内に収容された前記一体的な篩枠を上方から下方へ垂直に押さえつける篩枠固定手段と、を備えた篩枠交換装置としたので、篩枠保持手段により積み重ねた篩枠を一体的に保持することができ、篩枠運搬手段により機外に運び出すことが簡単に行うことができる。また、篩分け室内に篩枠を固定する際、従来は積み重ねた篩枠をボルトとナットとにより固定したのであるが、積み重ねた篩枠を篩枠固定手段により自動的に固定したり、自動的に固定を解除したりできるので、作業労力の負担が減少するようになった。
【手続補正７】
【補正対象書類名】明細書
【補正対象項目名】００３８
【補正方法】変更
【補正の内容】
【００３８】
【発明の効果】
以上のように本発明によれば、複数の篩枠を前記機枠外にてあらかじめ積み重ねて前記篩枠を一体的に保持する篩枠保持工程と、前記篩分け室に前記篩枠を収容する際、前記一体的な篩枠を収容する篩枠収容工程と、前記篩分け室内に収容された前記一体的な篩枠を固定する篩枠固定工程と、前記篩分け室から前記一体的な篩枠を取り出す際、前記一体的な篩枠の固定を解除する篩枠固定解除工程と、前記一体的な篩枠をそのまま篩分け室から機外に取り出す篩枠取り出し工程と、前記一体的な篩枠を篩分け室に収容又は機外に取り出す際に、該一体的な篩枠を前記篩分け室内で昇降させる篩枠昇降工程と、を備えたプランシフターの篩枠交換方法であるので、いちいち篩枠を１枚ずつ篩分け室から機外に取り出して、篩網の破れ、張り具合、粉粒体の漏れなどを点検し、篩枠を交換する必要がなく、多数の篩枠を積み上げたまま一体的に機外に取り出すことができ、また、篩分け室に新たな篩枠を収容する際には、機外にてあらかじめ積み上げた篩枠を一体的に収容することができるので、篩枠の数が多くても交換作業が楽に行える。例えば、１室あたり２０〜３０段の篩枠を積層し、６室の篩分け室を有するシフターの場合、篩枠の交換に要する作業時間は１室あたり、従来約８０分かかっていたものが、半分の約４０分程度で済み、６室の篩分け室を有するシフターであれば従来の半分の約４時間で済むようになった。
【手続補正８】
【補正対象書類名】明細書
【補正対象項目名】００３９
【補正方法】変更
【補正の内容】
【００３９】
また、前記複数の篩枠を積み重ねて一体的に保持する篩枠保持手段と、前記積み重ねて保持した一体的な篩枠を前記篩分け室へ収容又は篩分け室から機外に取り出すための篩枠運搬手段と、前記一体的な篩枠を前記篩分け室に収容又は機外に取り出す際に、該一体的な篩枠を前記篩分け室内で昇降させる篩枠昇降手段と、前記篩分け室内に収容された前記一体的な篩枠を上方から下方へ垂直に押さえつける篩枠固定手段と、を備えた篩枠交換装置としたので、篩枠保持手段により積み重ねた篩枠を一体的に保持することができ、篩枠運搬手段により機外に運び出すことが簡単に行うことができる。また、篩分け室内に篩枠を固定する際、従来は積み重ねた篩枠をボルトとナットとにより固定したのであるが、積み重ねた篩枠を篩枠固定手段により自動的に固定したり、自動的に固定を解除したりできるので、作業労力の負担が減少するようになった。
【手続補正９】
【補正対象書類名】図面
【補正対象項目名】全図
【補正方法】変更
【補正の内容】
【図１】
2001104885.tif 000001
【図２】
2001104885.tif 000002
【図３】
2001104885.tif 000003
【図４】
2001104885.tif 000004
【図５】
2001104885.tif 000005
【図６】
2001104885.tif 000006
【図７】
2001104885.tif 000007
【図８】
2001104885.tif 000008